(57)【要約】      （修正有）【課題】部品同士の接続箇所が露出せず、且つ組立て及び分解が容易な壁取り付け棚を提供する。【解決手段】一対のサイドパイプ２１の一端部が固定ユニット１に固定されて他端部が固定ユニット１から離れる方向に延伸するように構成されたサイドフレームユニット２と、各サイドパイプ２１の他端部に両端部がそれぞれ固定されているエンドパイプ４１Ａと、それぞれエンドパイプ４１Ａの両端部の開口に嵌め入れられている一対の固定部材とを有するエンドフレームユニット４とを備えており、固定部材は固定ねじと固定ブロックとを有し、エンドパイプ４１Ａと各サイドパイプ２１とは、エンドパイプ４１Ａの両端部をそれぞれ固定ブロックに挿入すると共に固定ねじを固定ブロックに螺入して固定ねじの先端がサイドパイプ２１に当接するようにして互いに固定されている。【選択図】図２
0003197794.tif 000002
【実用新案登録請求の範囲】
【請求項１】
建物の水回りの壁に固定された固定ユニットに据え付けられる壁取り付け棚であって、
それぞれ前記壁から突き出るように互いに間隔を置いて設けられた一対のサイドパイプを有し、各前記サイドパイプは一端部が前記固定ユニットに固定されて他端部が前記固定ユニットから離れる方向に延伸するように構成されたサイドフレームユニットと、
各前記サイドパイプの前記他端部に両端部がそれぞれ固定されて各前記サイドパイプの間に架設されているエンドパイプと、それぞれ前記エンドパイプの前記両端部の開口に嵌め入れられている一対の固定部材とを有するエンドフレームユニットと、を備えており、
前記一対の固定部材は、固定ねじと固定ブロックとを有し、前記固定ブロックには、対応の前記サイドパイプの前記他端部を受け入れるパイプ挿入孔と、前記パイプ挿入孔と連通するように形成され前記固定ねじを受け入れるねじ孔とが設けられており、
前記エンドパイプの前記両端部それぞれと各前記サイドパイプとは、各前記サイドパイプの前記他端部を前記エンドパイプの前記両端部に挿入して前記固定ブロックの前記パイプ挿入孔に挿入すると共に、前記固定ねじを前記固定ブロックの前記ねじ孔に螺入して前記固定ねじの先端を各前記サイドパイプの前記他端部に当接させるようにして互いに固定されていることを特徴とする壁取り付け棚。
【請求項２】
前記一対のサイドパイプは、水平方向に延伸しており、
前記サイドフレームユニットは、各前記サイドパイプからそれぞれ下方に延伸するように形成された一対の延伸パイプを更に有し、
前記エンドフレームユニットは、各前記延伸パイプの下端部に両端部がそれぞれ固定されて各前記延伸パイプの間に架設されているボトムエンドパイプと、更に一対の前記固定部材を有し、該一対の前記固定部材はそれぞれ前記ボトムエンドパイプの前記両端部の開口に嵌め入れられており、
前記ボトムエンドパイプの前記両端部それぞれと各前記延伸パイプとは、各前記延伸パイプの前記下端部を前記ボトムエンドパイプの前記両端部に挿入して前記固定ブロックの前記パイプ挿入孔に挿入すると共に、前記固定ねじを前記固定ブロックの前記ねじ孔に螺入して前記固定ねじの先端を各前記延伸パイプの前記下端部に当接させるようにして互いに固定されていることを特徴とする請求項１に記載の壁取り付け棚。
【請求項３】
前記固定ブロックには、対応の前記エンドパイプの内周面又は前記ボトムエンドパイプの内周面に当接するように前記固定ブロックの外周面から突出する複数のリブが更に設けられており、
前記固定ブロックの前記ねじ孔は、前記固定ブロックの前記外周面において対応の前記エンドパイプ又は前記ボトムエンドパイプの各両端に面する側から、対応の前記エンドパイプ又は前記ボトムエンドパイプの延伸方向に沿って前記外周面を貫通するように形成されている
ことを特徴とする請求項２に記載の壁取り付け棚。
【請求項４】
各前記サイドパイプは、管状のスリーブと、前記他端部を有する芯棒とを有すると共に、前記他端部が前記スリーブから突出するように前記芯棒が前記スリーブ内に通されて構成されており、
前記芯棒は、前記固定ねじの先端を受け入れるように前記他端部の側面に陥設されているねじ受けくぼみを有する
ことを特徴とする請求項２に記載の壁取り付け棚。
【請求項５】
更に、それぞれ両端が各前記サイドパイプの前記芯棒に挿入されて各前記サイドパイプの間に架設されている複数の荷受棒を備えている
ことを特徴とする請求項４に記載の壁取り付け棚。
【請求項６】
各前記延伸パイプは、前記下端部を有する管状の延伸スリーブと、前記延伸スリーブ内に通されている連結ねじ棒とを有し、
前記延伸スリーブは、前記下端部の内周面が内側に環状に突出するように形成された係止部を有し、
前記連結ねじ棒は、ねじ山が設けられたねじ先部と、直径が前記延伸スリーブの前記係止部の内径よりも大きくなるように形成された頭部とを有し、且つ、前記延伸スリーブに前記下端部側から、前記ねじ先部が前記延伸スリーブの上端から突き出て前記芯棒にねじ込まれると共に、前記頭部が前記係止部に係止されるように挿入されている
ことを特徴とする請求項４に記載の壁取り付け棚。
【請求項７】
前記延伸スリーブは、前記固定ねじの先端を受け入れるように前記下端部の外周面に前記係止部に対応して陥設されているくびれ部を有する
ことを特徴とする請求項６に記載の壁取り付け棚。
【請求項８】
前記エンドパイプ及び前記ボトムエンドパイプそれぞれの前記両端部の前記開口には、前記開口を塞いで対応の前記固定部材を覆うエンドキャップがそれぞれ嵌められている
ことを特徴とする請求項２から請求項７のいずれか一項に記載の壁取り付け棚。
【請求項９】
前記エンドキャップは、各前記開口を塞ぐキャップ本体と、ねじ山を有すると共に前記キャップ本体から内側に突出するように形成された突出ねじ部とを有し、前記突出ねじ部が対応の前記固定部材の前記ねじ孔に、前記固定ねじに外側から当接するように螺入されている
ことを特徴とする請求項８に記載の壁取り付け棚。
【請求項１０】
前記荷受棒を３本有し、各前記サイドパイプの前記芯棒には、対応の前記荷受棒の端部が挿入される受け孔が互いに間隔を置いて設けられている
ことを特徴とする請求項５に記載の壁取り付け棚。
【請求項１１】
前記固定ブロックは、亜鉛合金をプレス成形して一体に形成されたものである
ことを特徴とする請求項２に記載の壁取り付け棚。
【考案の詳細な説明】
【技術分野】
【０００１】
本考案は、壁取り付け棚に関し、詳しくは建物の水回りの壁に取り付けて物品を掛けるための壁取り付け棚に関する。
【背景技術】
【０００２】
浴室の壁に取り付けて、タオルを掛けたり浴室用品を載せたりするための壁取り付け棚の従来例が特許文献１（台湾登録実用新案第Ｍ２９３７４０号）に掲載されている。この壁取り付け棚は、壁に固定された左右一対のブラケットと、これらの間に掛け渡された複数本のバーからなっており、各バーはブラケットにねじで接続されている。このような壁取り付け棚は、部品同士のねじ接続箇所が露出しているので、美観が損なわれる上に、浴室では水滴がかかったり湿気を受けたりして、ねじが錆び易い。
【０００３】
図１は、浴室、トイレ、台所など、建物の水回りの壁に取り付けて用いる棚の他の例である。この壁取り付け棚９は、Ｕ字型に形成されたフレームパイプと、フレームパイプの両端部の間に架設された数本のパイプからなったものであり、パイプ同士の接続は溶接でなされている。ねじを用いていないので、ねじ接続箇所が露出して錆び易いという問題が回避されている。
【先行技術文献】
【特許文献】
【０００４】
【特許文献１】台湾登録実用新案第Ｍ２９３７４０号明細書
【考案の概要】
【考案が解決しようとする課題】
【０００５】
しかしながら、上述の壁取り付け棚は、溶接により組み立てられているので、製造コストが特許文献１のねじ付けよりもかかる上に、溶接痕９１ができ、美観が損なわれる。そこで、溶接痕９１部分の光沢出し処理が必要となるが、これにより更に製造コストが上がる。また、溶接してしまうと分解は困難な上に、Ｕ字型のフレームパイプは一体に形成されたものなので、製品の運送や廃棄時に余計な手間がかかる。
【０００６】
本考案は、上記従来技術の問題点に鑑みてなされたものであり、その目的は、部品同士の接続箇所が露出せず、且つ組立て及び分解が容易な壁取り付け棚の提供にある。
【課題を解決するための手段】
【０００７】
上記目的を達成するための手段として、本考案は、以下の壁取り付け棚を提供する。
【０００８】
即ち、本考案の壁取り付け棚は、建物の水回りの壁に固定された固定ユニットに据え付けられる壁取り付け棚であって、それぞれ前記壁から突き出るように互いに間隔を置いて設けられた一対のサイドパイプを有し、各前記サイドパイプは一端部が前記固定ユニットに固定されて他端部が前記固定ユニットから離れる方向に延伸するように構成されたサイドフレームユニットと、各前記サイドパイプの前記他端部に両端部がそれぞれ固定されて各前記サイドパイプの間に架設されているエンドパイプと、それぞれ前記エンドパイプの前記両端部の開口に嵌め入れられている一対の固定部材とを有するエンドフレームユニットと、を備えており、前記一対の固定部材は、固定ねじと固定ブロックとを有し、前記固定ブロックには、対応の前記サイドパイプの前記他端部を受け入れるパイプ挿入孔と、前記パイプ挿入孔と連通するように形成され前記固定ねじを受け入れるねじ孔とが設けられており、前記エンドパイプの前記両端部それぞれと各前記サイドパイプとは、各前記サイドパイプの前記他端部を前記エンドパイプの前記両端部に挿入して前記固定ブロックの前記パイプ挿入孔に挿入すると共に、前記固定ねじを前記固定ブロックの前記ねじ孔に螺入して前記固定ねじの先端を各前記サイドパイプの前記他端部に当接させるようにして互いに固定されていることを特徴とする。
【０００９】
また、本考案の壁取り付け棚においては、前記一対のサイドパイプは、水平方向に延伸しており、前記サイドフレームユニットは、各前記サイドパイプからそれぞれ下方に延伸するように形成された一対の延伸パイプを更に有し、前記エンドフレームユニットは、各前記延伸パイプの下端部に両端部がそれぞれ固定されて各前記延伸パイプの間に架設されているボトムエンドパイプと、更に一対の前記固定部材を有し、該一対の前記固定部材はそれぞれ前記ボトムエンドパイプの前記両端部の開口に嵌め入れられており、前記ボトムエンドパイプの前記両端部それぞれと各前記延伸パイプとは、各前記延伸パイプの前記下端部を前記ボトムエンドパイプの前記両端部に挿入して前記固定ブロックの前記パイプ挿入孔に挿入すると共に、前記固定ねじを前記固定ブロックの前記ねじ孔に螺入して前記固定ねじの先端を各前記延伸パイプの前記下端部に当接させるようにして互いに固定されていることが好ましい。
【００１０】
また、前記固定ブロックには、対応の前記エンドパイプの内周面又は前記ボトムエンドパイプの内周面に当接するように前記固定ブロックの外周面から突出する複数のリブが更に設けられており、前記固定ブロックの前記ねじ孔は、前記固定ブロックの前記外周面において対応の前記エンドパイプ又は前記ボトムエンドパイプの各両端に面する側から、対応の前記エンドパイプ又は前記ボトムエンドパイプの延伸方向に沿って前記外周面を貫通するように形成されていることが好ましい。
【００１１】
また、各前記サイドパイプは、管状のスリーブと、前記他端部を有する芯棒とを有すると共に、前記他端部が前記スリーブから突出するように前記芯棒が前記スリーブ内に通されて構成されており、前記芯棒は、前記固定ねじの先端を受け入れるように前記他端部の側面に陥設されているねじ受けくぼみを有することが好ましい。
【００１２】
更に、本考案の壁取り付け棚は、それぞれ両端が各前記サイドパイプの前記芯棒に挿入されて各前記サイドパイプの間に架設されている複数の荷受棒を備えていることが好ましい。
【００１３】
また、各前記延伸パイプは、前記下端部を有する管状の延伸スリーブと、前記延伸スリーブ内に通されている連結ねじ棒とを有し、前記延伸スリーブは、前記下端部の内周面が内側に環状に突出するように形成された係止部を有し、前記連結ねじ棒は、ねじ山が設けられたねじ先部と、直径が前記延伸スリーブの前記係止部の内径よりも大きくなるように形成された頭部とを有し、且つ、前記延伸スリーブに前記下端部側から、前記ねじ先部が前記延伸スリーブの上端から突き出て前記芯棒にねじ込まれると共に、前記頭部が前記係止部に係止されるように挿入されていることが好ましい。
【００１４】
また、前記延伸スリーブは、前記固定ねじの先端を受け入れるように前記下端部の外周面に前記係止部に対応して陥設されているくびれ部を有することが好ましい。
【００１５】
また、前記エンドパイプ及び前記ボトムエンドパイプそれぞれの前記両端部の前記開口には、前記開口を塞いで対応の前記固定部材を覆うエンドキャップがそれぞれ嵌められていることが好ましい。
【００１６】
また、前記エンドキャップは、各前記開口を塞ぐキャップ本体と、ねじ山を有すると共に前記キャップ本体から内側に突出するように形成された突出ねじ部とを有し、前記突出ねじ部が対応の前記固定部材の前記ねじ孔に、前記固定ねじに外側から当接するように螺入されていることが好ましい。
【００１７】
更に、前記荷受棒を３本有し、各前記サイドパイプの前記芯棒には、対応の前記荷受棒の端部が挿入される受け孔が互いに間隔を置いて設けられていることが好ましい。
【００１８】
また、前記固定ブロックは、亜鉛合金をプレス成形して一体に形成されたものであることが好ましい。
【考案の効果】
【００１９】
上記手段によれば、前記固定部材が前記エンドパイプの前記両端部の開口内にあり、各前記サイドパイプの前記他端部が前記パイプ挿入孔に挿入された前記固定ブロックの前記ねじ孔に、前記固定ねじを螺入することによって、前記エンドパイプと前記各サイドパイプとを接続固定することができるので、組立て及び分解が容易であるだけでなく、更にそれら接続箇所が外部に露出しない壁取り付け棚を提供することが可能となる。
【図面の簡単な説明】
【００２０】
【図１】従来の壁取り付け棚の例を示す斜視図である。
【図２】本考案に係る壁取り付け棚の一実施形態を示す斜視図である。
【図３】上記実施形態の一部分の分解された状態を示す分解図である。
【図４】図２のＩＶ−ＩＶ線で切った断面を示す断面図である。
【図５】上記実施形態における固定部材を示す斜視図である。
【図６】上記実施形態において固定ブロックのリブがエンドパイプ（又はボトムエンドパイプ）の内周面に当接する状態を示す説明図である。
【図７】図２のＶＩＩ−ＶＩＩ線で切った断面を示す断面図である。
【考案を実施するための形態】
【００２１】
以下、添付図面を参照しながら、本考案に係る壁取り付け棚の具体的な実施形態を詳細に説明する。
【００２２】
本考案に係る壁取り付け棚は、建物において、例えば浴室、トイレ、台所など、水気が多い又は湿気が高い水回りで用いるのに適したものであって、水回りの壁に固定された固定ユニット１に据え付けられて用いられるものである。なお、本実施形態において、固定ユニット１は、左右一対で互いに間隔を置いてそれぞれ壁（図示せず）に固定されたブラケット１１，１１として示されている。
【００２３】
図２には、本考案に係る壁取り付け棚の一実施形態が斜視図で示されている。この壁取り付け棚は、サイドフレームユニット２と、複数の荷受棒３と、エンドフレームユニット４とからなっている。
【００２４】
（サイドフレームユニット２）
サイドフレームユニット２は、図２、図３及び図４に示されているように、互いに間隔を置いて左右のブラケット１１，１１にそれぞれの一端部が固定されるように設けられた一対のサイドパイプ２１，２１を有する。各サイドパイプ２１，２１の他端部２１６はブラケット１１，１１からそれぞれ離れる方向に延伸している。即ち各サイドパイプ２１，２１はそれぞれ上記壁から水平方向に突き出るように設けられている。
【００２５】
また、サイドフレームユニット２は、各サイドパイプ２１，２１からそれぞれ下方に延伸するように形成された一対の延伸パイプ２２，２２を更に有する。
【００２６】
各サイドパイプ２１は、管状のスリーブ２１１と、スリーブ２１１の内部に通されている芯棒２１２とを有する。スリーブ２１１には、その側面で開口する少なくとも一つの通し孔２１３と、下面で開口する一つのねじ通し孔２１４とが形成されている。芯棒２１２は、スリーブ２１１に通されている本体部２１５を有し、本体部２１５と繋がっていると共に固定ユニット１から離れた側にスリーブ２１１から突出している部分がサイドパイプ２１の上述した他端部２１６となっている。また、本体部２１５の側面にはスリーブ２１１の通し孔２１３に位置と数量が対応する受け孔２１８が設けられ、また他端部２１６の側面にはねじ受けくぼみ２１７が陥設されている。
【００２７】
本実施形態では、芯棒２１２は亜鉛合金をプレス成形して設けられたものであり、通し孔２１３と受け孔２１８とはそれぞれ３つずつ設けられている。
【００２８】
各延伸パイプ２２は、サイドパイプ２１から離れた下端部２２３を有する管状の延伸スリーブ２２１と、延伸スリーブ２２１内に通されている連結ねじ棒２２２とを有する。延伸スリーブ２２１は、その下端部２２３の内周面が内側に環状に突出するように形成された係止部２２４を有する。連結ねじ棒２２２は、ねじ山が設けられたねじ先部２２５と、直径が延伸スリーブ２２１の係止部２２４の内径よりも大きくなるように形成された頭部２２６とを有する。
【００２９】
本実施形態では、各延伸パイプ２２としてはその端部付近の外周面に圧延機により環状のくびれ部２２７が陥設されたものを用いており、そのくびれ部２２７から該端部までの部分が上述の下端部２２３であり、くびれ部２２７が形成されたことによって対応して内面側に突出した部分が上述の係止部２２４である。
【００３０】
（荷受棒３）
荷受棒３は、本実施形態では３本用いられており、それぞれ両端が両方のサイドパイプ２１，２１に挿入されてサイドパイプ２１，２１の間に架設されている。詳しく言うと、各荷受棒３は、両端がそれぞれスリーブ２１１の対応する通し孔２１３に通されてから芯棒２１２の対応する受け孔２１８に挿入されている。
【００３１】
（エンドフレームユニット４）
エンドフレームユニット４は、各サイドパイプ２１，２１の他端部２１６に両端部がそれぞれ固定されて各サイドパイプ２１，２１の間に架設されているエンドパイプ４１Ａと、各延伸パイプ２２，２２の下端部２２３に両端部がそれぞれ固定されて各延伸パイプ２２，２２の間に架設されているボトムエンドパイプ４１Ｂと、それぞれエンドパイプ４１Ａの両端部の各開口及びボトムエンドパイプ４１Ｂの両端部の各開口に１つずつ嵌め入れられている二対の固定部材４２，４２・・・と、を有する。また、エンドパイプ４１Ａの両端部の各開口及びボトムエンドパイプ４１Ｂの両端部の各開口にはそれぞれ開口を塞いで対応の固定部材４２を覆うエンドキャップ４３が嵌められている。また、エンドパイプ４１Ａの両端部の外周面とボトムエンドパイプ４１Ｂの両端部の外周面にはそれぞれ、接続孔４１１，４１１が設けられている。
【００３２】
各固定部材４２は、図３及び図５に示されているように、固定ブロック４２１と、固定ねじ４２２とからなっている。
【００３３】
固定ブロック４２１には、対応のサイドパイプ２１の他端部２１６又は対応の延伸パイプ２２の下端部２２３を受け入れることができるように形成されたパイプ挿入孔４２３と、固定ねじ４２２を受け入れることができるように且つパイプ挿入孔４２３と連通するように形成されたねじ孔４２４とが設けられている。また、固定ブロック４２１の外周面には、エンドパイプ４１Ａ又はボトムエンドパイプ４１Ｂの内周面に当接するように突出する（図６参照）複数のリブ４２５（図示では４つ）が設けられている。
【００３４】
ねじ孔４２４は、固定ブロック４２１の外周面において対応のエンドパイプ４１Ａ又はボトムエンドパイプ４１Ｂの各両端に面する側（即ち外側）から、対応のエンドパイプ４１Ａ又はボトムエンドパイプ４１Ｂの延伸方向に沿って上記外周面を貫通するように形成されたものであり、ねじ孔４２４とパイプ挿入孔４２３とは互いの延伸方向が略直交している。また、固定ブロック４２１は、亜鉛合金をプレス成形して一体に形成されたものである。
【００３５】
固定ねじ４２２は、本実施形態では、頭部を有さず全長にわたってねじ山が設けられ且つ一端に六角孔が設けられているイモねじであり（図５参照）、長さがねじ孔４２４の深さよりも短く、全体がねじ孔４２４に螺入されている。
【００３６】
エンドキャップ４３は、図４及び図７に示されているように、各上記開口を塞ぐキャップ本体４３１と、ねじ山を有すると共にキャップ本体４３１から内側に突出するように形成された突出ねじ部４３２とを有する。突出ねじ部４３２は、対応の固定ブロック４２１のねじ孔４２４に、固定ねじ４２２に外側から当接するように螺入されている。また、突出ねじ部４３２の先端には六角形状の突起があり、該突起が固定ねじ４２２の上記六角孔に嵌り込んでいる。
【００３７】
固定部材４２は、サイドフレームユニット２とエンドフレームユニット４とを接続固定するものであり、以下では、その固定態様を、各延伸パイプ２２とサイドパイプ２１との固定態様及び荷受棒３とサイドフレームユニット２との固定態様と併せて説明する。
【００３８】
（エンドパイプ４１Ａの両端部それぞれと各サイドパイプ２１との固定）
図２、図３及び図４に示されているように、固定ブロック４２１は、そのパイプ挿入孔４２３がエンドパイプ４１Ａの接続孔４１１と重なるようにエンドパイプ４１Ａの両端部の開口にそれぞれ嵌め入れられている。
【００３９】
各サイドパイプ２１，２１の他端部２１６をエンドパイプ４１Ａの両端部に設けられている接続孔４１１に挿入して固定ブロック４２１のパイプ挿入孔４２３に挿入すると共に、固定ねじ４２２を固定ブロック４２１のねじ孔４２４に螺入して、固定ねじ４２２の先端をサイドパイプ２１の他端部２１６のねじ受けくぼみ２１７に嵌め込むように他端部２１６に当接させる。これにより、エンドパイプ４１Ａの両端部それぞれと各サイドパイプ２１，２１とが固定されて、エンドパイプ４１Ａが各サイドパイプ２１，２１の間に安定状態で架設される。
【００４０】
（荷受棒３とサイドフレームユニット２との固定）
各荷受棒３は、両端がそれぞれ対応のサイドパイプ２１の通し孔２１３に通されてから芯棒２１２の対応する受け孔２１８に挿入されて固定される。これにより各荷受棒３が一対のサイドパイプ２１，２１の間に架設される。
【００４１】
（各延伸パイプ２２と各サイドパイプ２１との固定）
図３及び図４に示されているように、延伸パイプ２２は、連結ねじ棒２２２が延伸スリーブ２２１に延伸スリーブ２２１の下端部２２３側から、ねじ先部２２５が延伸スリーブ２２１の上端から突き出て対応のサイドパイプ２１のスリーブ２１１のねじ通し孔２１４に挿入されて芯棒２１２にねじ込まれている。これにより、連結ねじ棒２２２の頭部２２６が延伸スリーブ２２１の係止部２２４を係止するので、延伸スリーブ２２１も固定され、延伸パイプ２２がサイドパイプ２１に固定される。
【００４２】
（ボトムエンドパイプ４１Ｂの両端部それぞれと各延伸パイプ２２との固定）
図２、図３及び図４に示されているように、固定ブロック４２１は、そのパイプ挿入孔４２３がボトムエンドパイプ４１Ｂの接続孔４１１と重なるようにボトムエンドパイプ４１Ｂの両端部の開口にそれぞれ嵌め入れられている。
【００４３】
各延伸パイプ２２，２２の下端部２２３をボトムエンドパイプ４１Ｂの両端部設けられている接続孔４１１に挿入して固定ブロック４２１のパイプ挿入孔４２３に挿入すると共に、固定ねじ４２２を固定ブロック４２１のねじ孔４２４に螺入して、固定ねじ４２２の先端を延伸パイプ２２の下端部２２３のくびれ部２２７に嵌め込むように下端部２２３に当接させる。これにより、ボトムエンドパイプ４１Ｂの両端部それぞれと各延伸パイプ２２，２２とが固定されて、ボトムエンドパイプ４１Ｂが各延伸パイプ２２，２２の間に架設される。
【００４４】
本実施形態に係る壁取り付け棚は、上述の構成を有することにより、以下に挙げる効果を備える。
【００４５】
第一に、サイドフレームユニット２とエンドフレームユニット４との接続された箇所、具体的には一対のサイドパイプ２１，２１とエンドパイプ４１Ａ、一対の延伸パイプ２２，２２とボトムエンドパイプ４１Ｂ、そして各延伸パイプ２２と対応のサイドパイプ２１それぞれの接続箇所が、直接外部に露出しないようにねじ止めされているので、接続のために用いるねじが水気を受ける恐れが無い。また、各荷受棒３とサイドパイプ２１，２１との接続も同様に接続箇所が外部に露出していない。
【００４６】
第二に、上記各接続は、上述のようにそれぞれ各パイプ（サイドパイプ２１、延伸パイプ２２）の固定部材４２への挿入及び固定ねじ４２２による当接によりなされているので、組立て及び分解が容易である。
【００４７】
なお、エンドパイプ４１Ａとボトムエンドパイプ４１Ｂは、説明の便宜のため異なる名称を付したが、同じ構造のものであり、同一構造のパイプ部材で使い回しすることができる。
【００４８】
以上、本考案の好ましい実施形態を説明したが、本考案はこれに限定されるものではなく、その要旨を逸脱しない範囲で種々変更可能である。
【産業上の利用可能性】
【００４９】
本考案に係る壁取り付け棚は、建物において、特に水気が多い又は湿気が高い水回りに用いて、例えばタオルを掛けたりバスタオルをその上に載せたりする棚として有用である。
【符号の説明】
【００５０】
１      固定ユニット
１１    ブラケット
２      サイドフレームユニット
２１    サイドパイプ
２１１  スリーブ
２１２  芯棒
２１３  通し孔
２１４  ねじ通し孔
２１５  本体部
２１６  他端部
２１７  ねじ受けくぼみ
２１８  受け孔
２２    延伸パイプ
２２１  延伸スリーブ
２２２  連結ねじ棒
２２３  下端部
２２４  係止部
２２５  ねじ先部
２２６  頭部
２２７  くびれ部
３      荷受棒
４      エンドフレームユニット
４１Ａ  エンドパイプ
４１Ｂ  ボトムエンドパイプ
４１１  接続孔
４２    固定部材
４２１  固定ブロック
４２２  固定ねじ
４２３  パイプ挿入孔
４２４  ねじ孔
４２５  リブ
４３    エンドキャップ
４３１  キャップ本体
４３２  突出ねじ部
【図１】
0003197794.tif 000003
【図２】
0003197794.tif 000004
【図３】
0003197794.tif 000005
【図４】
0003197794.tif 000006
【図５】
0003197794.tif 000007
【図６】
0003197794.tif 000008
【図７】
0003197794.tif 000009